(57)【要約】【課題】自発光素子の複数の画素を備えるパネルの意匠が変更されても適切に輝度バラツキを補正できる表示装置を実現する。【解決手段】複数の画素を有してなる表示部１１を備えるパネル１と、パネル１から所定の距離を隔てて配置される透明部材３と、受光部４１を有し、表示部１１内の所定の領域の輝度を測定する輝度測定部４と、制御部５とを備え、制御部５が所定の画素で輝度低下が生じた場合、表示部１１の駆動条件を補正する表示装置とする。透明部材３は、パネル１に対して傾いた配置とされ、受光部４１は、輝度測定部４に形成された複数の収容部４２１のうち任意の収容部４２１であって、表示部１１の光Ｌのうち透明部材３の一面３ａで反射された反射光ＲＬが入射する位置に配置される。これにより、表示部１１の意匠が変更されても、受光部４１の配置を適宜変更でき、表示部１１の輝度バラツキを適切に補正できる表示装置となる。【選択図】図２
2019125469.tif 000002
【特許請求の範囲】
【請求項１】
自発光素子で構成される複数の画素を有してなる表示部（１１）を備えるパネル（１）と、
前記表示部と所定の間隔を隔てて配置された透明部材（３）と、
前記表示部から生じた光（Ｌ）の一部を受光する受光部（４１）を有し、前記表示部のうち所定の領域の輝度を測定する輝度測定部（４）と、
前記表示部の駆動条件を制御する制御部（５）と、を備え、
前記透明部材は、前記透明部材のうち前記表示部側の面を一面（３ａ）として、前記一面が前記表示部のうち発光する側の面である発光面（１１ａ）のなす平面に対して傾いており、
前記輝度測定部には、前記受光部を収容可能な複数の収容部（４２１）が形成されており、
前記光のうち前記一面で反射した光を反射光（ＲＬ）として、前記受光部は、前記複数の収容部のうち前記反射光が入射する所定の前記収容部に収容されており、
前記制御部は、前記輝度測定部による輝度測定の結果に基づいて、前記表示部のうち所定の領域において輝度が低下した場合には、前記表示部の駆動条件を再設定する表示装置。
【請求項２】
前記受光部と前記透明部材との間に配置されたフィルタ部材（４３）をさらに有し、
前記フィルタ部材は、前記反射光のうち前記受光面に対して垂直に入射する垂直入射光（ＲＬ１）を優先して通し、
前記輝度測定部は、前記フィルタ部材を介して前記受光部に入射した光に基づいて前記輝度を測定する請求項１に記載の表示装置。
【請求項３】
前記受光部と前記透明部材との間に配置されたカラーフィルタ（４４）をさらに有し、
前記輝度測定部は、前記反射光のうち前記カラーフィルタを介して前記受光部に入射した光に基づいて前記輝度を測定する請求項１または２に記載の表示装置。
【請求項４】
前記受光部と前記透明部材との間に配置された広角レンズ（４５）をさらに有し、
前記輝度測定部は、前記反射光のうち前記広角レンズを介して前記受光部に入射した光に基づいて前記輝度を測定する請求項１に記載の表示装置。
【請求項５】
前記パネル、前記透明部材および前記受光部を通る平面で前記表示装置を切断したときの断面において、前記受光部のうち前記反射光が入射する側の面を受光面（４１ａ）として、
前記透明部材は、前記光のうち前記発光面に対して垂直に照射された垂直照射光（Ｌ１）のうち前記一面で反射した光が前記受光面に対して垂直に入射する配置とされている請求項１ないし４のいずれか１つに記載の表示装置。
【発明の詳細な説明】
【技術分野】
【０００１】
本発明は、有機ＥＬ(Electro Luminescentの略)装置を備える表示装置に関する。
【背景技術】
【０００２】
近年、２つの電極に挟まれた有機薄膜に電界をかけると発光する自発光型の素子である、有機ＥＬデバイスを画素として用いられた表示装置の開発が進められている。有機ＥＬデバイスは、自発光素子であり、他の照明部材などが不要であることから、軽量化や薄型化が容易との特長を有する。この種の表示装置としては、例えば、有機ＥＬデバイスとその駆動素子としての薄膜トランジスタとを各画素に集積して形成されたアクティブマトリクス型の表示装置（以下、単に「有機ＥＬ表示装置」という）が提案されている。
【０００３】
ここで、有機ＥＬデバイスには、発光輝度の高さや駆動時間の長さに比例して発光効率が低下し、同一駆動条件であっても発光輝度が低下する特性がある。そのため、有機ＥＬ表示装置では、この有機ＥＬデバイスの特性に起因する各画素間の発光輝度のバラツキが問題となる。なお、ここでいう駆動時間とは、有機ＥＬデバイスを発光させた時間を累積したものを意味する。
【０００４】
具体的には、各画素は、各画素で一様な表示を行うような特殊な場合を除き、それぞれの発光輝度や駆動時間などの駆動履歴が異なるのが通常であり、駆動履歴が異なると、同一駆動条件であっても発光輝度に差が生じてしまう。有機ＥＬ表示装置は、各画素の駆動履歴の違いに伴って各画素間に発光輝度のバラツキが生じた場合には、その視認性が悪化してしまう。
【０００５】
上記の問題を解決する有機ＥＬ表示装置としては、例えば特許文献１に記載の発明が挙げられる。この発明は、有機ＥＬデバイスを有してなる画素が複数配置されてなる表示領域を有する有機ＥＬパネルと、発光輝度を測定する複数の受光センサと、該表示領域において所定の領域で発光輝度の低下があった場合に画素の駆動条件を補正する補正手段とを備える。
【０００６】
具体的には、特許文献１に記載の有機ＥＬ表示装置は、各画素が表面に形成された透明な支持基板と、各画素を隔てて該支持基板と対向する透明な対向基板とを備え、複数の受光センサが該支持基板の裏面側に配置された構成とされている。この有機ＥＬ表示装置では、複数の受光センサは、所定の間隔で配置され、各画素が発した光のうち対向基板で反射されて支持基板の裏面側に入射した光に基づいて輝度を測定する。所定の領域における輝度が低下した場合には、補正手段により輝度低下が生じた領域における画素の駆動条件を調整できるため、輝度バラツキが抑制される有機ＥＬ表示装置となる。
【先行技術文献】
【特許文献】
【０００７】
【特許文献１】特開２０１０−１４５５７３号公報
【発明の概要】
【発明が解決しようとする課題】
【０００８】
ところで、輝度バラツキの抑制の観点では、全画素についてその輝度を測定し、輝度低下に応じて駆動条件の補正をすることが最も好ましいが、制御やコストの観点から現実的ではない。そのため、制御やコストの観点から、特許文献１に記載の発明のように所定の領域の輝度を測定する１つの受光センサが複数配置された構成とされることが好ましい。
【０００９】
また、この種の有機ＥＬ表示装置は、例えばメータや画像表示装置などの用途やそのデザインが多岐にわたり、意匠の内容、すなわち複数の画素で構成される表示領域の形状や面積などが適宜変更される。
【００１０】
しかしながら、特許文献１に記載の発明のようにあらかじめ所定の領域の輝度を測定する受光センサを複数配置する方式は、意匠の内容ごとにその配置が変更されたものを別途用意しなければ輝度バラツキを適切に抑制できない上、コスト面でも不利である。
【００１１】
本発明は、上記の点に鑑みてなされたものであり、有機ＥＬパネルの表示領域が変更された場合でもその輝度バラツキを適切に抑制できる表示装置を提供することを目的とする。
【課題を解決するための手段】
【００１２】
上記目的を達成するため、請求項１に記載の表示装置は、自発光素子で構成される複数の画素を有してなる表示部（１１）を備えるパネル（１）と、表示部と所定の間隔を隔てて配置された透明部材（３）と、表示部から生じた光（Ｌ）の一部を受光する受光部（４１）を有し、表示部のうち所定の領域の輝度を測定する輝度測定部（４）と、表示部の駆動条件を制御する制御部（５）と、を備える。このような構成において、透明部材は、透明部材のうち表示部側の面を一面（３ａ）として、一面が表示部のうち発光する側の面である発光面（１１ａ）のなす平面に対して傾いており、輝度測定部には、受光部を収容可能な複数の収容部（４２１）が形成されており、光のうち一面で反射した光を反射光（ＲＬ）として、受光部は、複数の収容部のうち反射光が入射する所定の収容部に収容されており、制御部は、輝度測定部による輝度測定の結果に基づいて、表示部のうち所定の領域において輝度が低下した場合には、表示部の駆動条件を再設定する。
【００１３】
これによれば、自発光素子で構成される表示部を有するパネルと表示部の所定の領域の輝度を測定する輝度測定部とが離れて配置され、輝度測定結果に基づき、所定の領域の輝度が低下した場合に、表示部の駆動条件を再設定する制御部を有する表示装置となる。また、輝度測定部には、受光部を収容可能な複数の収容部が形成されると共に、輝度測定部のうち、表示部からの光の一部であって透明部材の一面で反射された光を受光する受光部は、複数の収容部の任意の位置に配置されることができる。
【００１４】
そのため、この表示装置は、表示部の意匠が変更された場合であっても、その意匠に合わせて受光部がその配置を適宜変更されることができ、輝度測定できる領域、すなわち駆動条件を再設定できる領域が適宜変更されることができる構造となる。よって、表示部の意匠ごとに別途の輝度測定部を用意することなく、表示部における輝度バラツキを適切に抑制できる表示装置となる。
【００１５】
なお、上記各手段の括弧内の符号は、後述する実施形態に記載の具体的手段との対応関係の一例を示すものである。
【図面の簡単な説明】
【００１６】
【図１】第１実施形態の表示装置をパネルの発光面に対する法線方向から見たときのレイアウトを示す平面レイアウト図である。
【図２】図１中に一点鎖線で示すII-II間の断面を示す概略断面図である。
【図３】第１実施形態の表示装置における制御部の概略を示すブロック図である。
【図４】第１実施形態の表示装置のうち表示部から生じた光の一部が受光部に入射する様子を示す概略断面図である。
【図５】輝度測定部をその受光面に対する法線方向から見たときの概略平面図である。
【図６】図５中の一点鎖線で示すVI-VI間の断面を示す概略断面図である。
【図７】第１実施形態の表示装置の変形例を示す概略断面図である。
【図８】第２実施形態の表示装置のうち受光部付近の断面を示す概略断面図である。
【図９】第３実施形態の表示装置のうち受光部付近の断面を示す概略断面図である。
【図１０Ａ】赤色、緑色および青色の波長領域の光をそれぞれ含むスペクトルの一例を示す図である。
【図１０Ｂ】図１０Ａに示す光のうち青色以外の波長領域の光をカラーフィルタで除去した場合のスペクトルの一例を示す図である。
【図１１】第４実施形態の表示装置のうち受光部付近の断面を示す概略断面図である。
【発明を実施するための形態】
【００１７】
以下、本発明の実施形態について図に基づいて説明する。なお、以下の各実施形態相互において、互いに同一もしくは均等である部分には、同一符号を付して説明を行う。
【００１８】
（第１実施形態）
第１実施形態の表示装置について、図１〜図６を参照して述べる。本実施形態では、当該表示装置が、車載用表示装置とされた場合を例に説明する。
【００１９】
図１、図２では、本実施形態の表示装置の構成を分かり易くするため、後述する各構成要素の大きさなどをデフォルメしたものを示している。また、図１では、正面からは見えない後述する輝度測定部４および受光部４１の配置を分かり易くするために、輝度測定部４および受光部４１の外郭を破線で示している。図２では、パネル１、透明部材３および輝度測定部４を通る平面で切断した断面を示しているが、輝度測定部４についてはデフォルメして簡略化したものを示している。図５では、受光部４１の位置を分かり易くするため、断面を示すものではないが、受光部４１にハッチングを施している。
【００２０】
本実施形態の表示装置は、図１ないし図３に示すように、パネル１と、筐体部品２と、透明部材３と、輝度測定部４と、制御部５と、指針表示部６とを備える。本実施形態の表示装置は、有機ＥＬデバイスを画素として備えるパネル１から生じた光のうち透明部材３の一面３ａで反射された光に基づいて輝度測定部４で輝度が測定され、輝度が低下した場合に制御部５により駆動条件が再設定される構成とされている。
【００２１】
パネル１は、例えば、有機ＥＬデバイスが自発光素子として用いられた画素を複数備えるアクティブマトリクス型の任意の有機ＥＬパネルが用いられる。パネル１は、例えば、カーナビゲーションシステムなどにより得られる道路情報やインジケータや走行距離などの車両情報などを表示するものとして用いられる。なお、アクティブマトリクス型の有機ＥＬパネルの構成などは、公知であるため、本明細書ではその詳細な説明を省略する。
【００２２】
パネル１は、図３に示すように、複数の画素で構成され、該複数の画素を駆動させて得られる画像などが表示される表示部１１と、複数の画素の駆動に用いられる駆動回路１２とを備える。パネル１は、図２に示すように、筐体部品２に取り付けられると共に、後述する輝度測定部４で表示部１１の所定の領域の輝度が測定され、その輝度測定結果に基づく制御部５による駆動制御により表示部１１での輝度バラツキが抑制されるように構成されている。表示部１１の輝度測定および輝度バラツキの抑制の詳細については、後述する。
【００２３】
筐体部品２は、例えば、図１および図２に示すように、パネル１、透明部材３、輝度測定部４および指針表示部６並びに図示しない制御部５が取り付けられた略有底筒状の筐体であり、任意の樹脂材料などにより構成されている。筐体部品２は、例えば、図１に示すように、パネル１を正面から見たとき、パネル１を挟んで図１の紙面左右に合計２つの指針表示部６が取り付けられている。筐体部品２は、例えば、図１に示すように、図１の紙面の左右方向に対して垂直な方向を上下方向として、パネル１の外郭領域を上方向に投影した領域に輝度測定部４が取り付けられている。なお、筐体部品２は、輝度測定部４が透明部材３を介して表示部１１からの光の一部に基づいてその輝度を測定できる構成とされていればよく、その形状や寸法については適宜変更されてもよい。
【００２４】
透明部材３は、図４に示すように、パネル１の表示部１１からの光Ｌの一部を輝度測定部４側へ反射させつつ、光Ｌの一部が透過できる部材であり、例えば、アクリルなどの透明な樹脂材料などにより構成されている。透明部材３は、図２に示すように、一面３ａおよび他面３ｂを有する略板状とされ、一面３ａ側をパネル１側に向けつつ、パネル１から離れた位置において筐体部品２に取り付けられている。
【００２５】
なお、透明部材３は、他面３ｂ側から表示部１１を見て、人が肉眼で表示部１１に表示される画像等を確認できる程度に光Ｌの一部が透過する材料で構成されればよく、上記の材料の例に限定されるものではない。また、透明部材３は、表示部１１からの光Ｌの一部を反射して輝度測定部４に入射する形状であればよく、平板状に限られず、他の形状とされてもよい。
【００２６】
透明部材３は、図２に示すように、表示部１１のうち光を照射する側の面を発光面１１ａとして、一面３ａが発光面１１ａに対して傾いた配置とされている。具体的には、透明部材３は、図２に示すように、一面３ａのなす平面と発光面１１ａのなす平面とのなす角度のうち輝度測定部４側の角度（以下「傾斜角」という）が鋭角となるように配置されている。
【００２７】
透明部材３は、任意の傾斜角で配置されてもよいが、輝度測定の効率を上げる観点から傾斜角が所定の角度となるように配置されることが好ましい。ここで、説明の簡略化のため、図４に示すように、表示部１１からの光Ｌのうち発光面１１aに対して垂直に照射される垂直照射光Ｌ１のなす直線と一面３ａに対する法線（以下「一面法線」という）とのなす角度のうち鋭角のものを「第１の角度θ１」と称する。また、図４に示すように、透明部材３の一面３ａで反射される反射光ＲＬのうち後述する受光部４１の受光面４１ａに対して垂直に入射する垂直入射光ＲＬ１のなす直線と一面法線とのなす角度のうち鋭角のものを「第２の角度θ２」と称する。
【００２８】
垂直照射光Ｌ１の一部は、図４に示すように、透明部材３の一面３ａで一面法線に対して第１の角度θ１で入射し、第１の角度θ１と同じ角度となる第２の角度θ２で反射される。このとき、透明部材３は、図４に示すように、垂直照射光Ｌ１のうち一面３ａで反射された光が、後述する受光部４１のうち反射光ＲＬが入射する側の面である受光面４１ａに対して垂直に入射するように傾斜角を調整した配置とされることが好ましい。
【００２９】
これにより、受光部４１に反射光ＲＬの一部がより多く入射することとなり、効率良く輝度測定が行われることで、制御部５による駆動条件の補正の精度、すなわち輝度バラツキの補正の精度が向上するためである。
【００３０】
例えば、図４に示すように、筐体部品２のうちパネル１が配置された壁面と輝度測定部４が配置された壁面とが垂直をなし、パネル１の発光面１１ａと受光部４１の受光面４１ａとのなす角度が９０°となる配置とされている場合について検討する。このような場合には、透明部材３は、傾斜角が４５°となるように配置されることが好ましい。なお、筐体部品２の形状やパネル１の発光面１１ａと受光部４１の受光面４１ａとのなす角度により、透明部材３は、その傾斜角を適宜変更して配置されてもよく、上記の例の配置に限定されるものではない。
【００３１】
輝度測定部４は、図４に示すように、パネル１の表示部１１で生じた光Ｌのうち透明部材３の一面３ａで反射された反射光ＲＬに基づいて、表示部１１のうち所定の領域における輝度を測定するものである。輝度測定部４は、図５に示すように、表示部１１のうち所定の領域からの光Ｌを受光する１つまたは２つ以上の受光部４１と受光部４１を支持する支持体４２とを有してなる。
【００３２】
なお、輝度測定部４は、図２の紙面上の左右方向に対して垂直な方向を上下方向とし、下方向を鉛直方向として、パネル１よりも上方向側に配置されている。また、図５では、分かり易くするために、１つの受光部４１が後述する所定の収容部４２１に選択的に収容された状態を示しているが、複数の受光部４１が配置されてもよい。
【００３３】
受光部４１は、表示部１１のうち所定の領域における輝度を測定するための部材であり、例えば、フォトダイオードなどの任意の受光センサやＣＣＤ（Charge Coupled Deviceの略）カメラなどの任意のカメラなどが用いられる。
【００３４】
受光部４１は、図５もしくは図６に示すように、支持体４２の後述する複数の収容部４２１のうち反射光ＲＬが入射する任意の箇所に収容される。具体的には、受光部４１は、表示部１１の意匠の内容、すなわち発光領域が変更された場合であっても、反射光ＲＬが入射する任意の収容部４２１を選んで収容される。言い換えると、受光部４１は、表示部１１の意匠ごとに、選択的に所定の収容部４２１に収容されることができる。
【００３５】
なお、所定の領域とは、表示部１１のすべての領域であってもよいし、その一部の領域であってもよい。例えば、表示部１１のすべての領域の輝度を測定する場合には、１つのＣＣＤカメラなどが受光部４１として用いられ、その一部の領域の輝度を測定する場合には、複数の受光センサが受光部４１として用いられる。輝度測定部４が複数の受光部４１を備える場合には、複数の受光部４１は、互いに所定の間隔を隔てて表示部１１の意匠の内容に合わせて任意の位置に配置される。
【００３６】
支持体４２は、受光部４１を収容して支持する部材であり、本実施形態では、例えば、任意の樹脂材料などにより構成され、図５に示すように、平面視にて格子状とされている。支持体４２には、例えば、図６に示すように、透明部材３側にフランジ部分を備え、反射光ＲＬの一部が入射しつつも、受光部４１を収容可能な空間である複数の収容部４２１が形成されている。
【００３７】
なお、支持体４２は、受光部４１を収容できる収容部４２１が複数形成されていればよく、上記の例に限定されるものでなく、支持体４２および収容部４２１の形状や寸法などや収容部４２１の数などが適宜変更されてもよい。
【００３８】
制御部５は、図３に示すように、輝度測定部４で得られた輝度データに基づいて、複数の画素のうち特に輝度が低下した画素（以下「輝度低下画素」という）とその周囲の画素との間での輝度差を低減するために、表示部１１の駆動条件を再設定する構成とされる。制御部５は、例えば、ＦＰＧＡ（Field Programmable Gate Arrayの略）などのＩＣ（Integrated Circuitの略）やデータを記憶するメモリなどが用いられる。制御部５は、画素間の輝度差、すなわち輝度バラツキに基づいてその駆動条件を補正できる構成とされていればよく、公知の補正回路などが用いられる。制御部５の詳細については、パネル１の駆動制御の説明にて述べる。
【００３９】
なお、ここでいう「輝度低下画素」とは、複数の画素のうち輝度が低下した画素であって、人が肉眼でその周囲の画素に比べて輝度が低いことを確認できるものを指す。
【００４０】
指針表示部６は、例えば車両の速度やエンジンの回転数などが表示される任意のスピードメータやタコメータなどが用いられる。指針表示部６の種類、その数や配置などについては、適宜変更されてもよい。
【００４１】
以上が、本実施形態の表示装置の構成である。上記では、車載用表示装置として適用された例について説明したが、他の用途の表示装置に適用されてもよく、その場合には指針表示部６がなくてもよいし、指針表示部６と共に、またはその代わりに他の電子部品などが用いられてもよい。
【００４２】
次に、本実施形態の表示装置におけるパネル１の駆動制御について、図３を参照して説明する。
【００４３】
有機ＥＬデバイスには、前述のとおり、発光輝度の高さや駆動時間の長さに比例してその発光効率が低下し、同一駆動条件であっても発光輝度が低下する特性がある。一方、有機ＥＬデバイスで構成される画素を複数有してなる有機ＥＬパネルでは、各画素で一様な表示を行うような特殊な場合を除き、それぞれの発光輝度や駆動時間などの駆動履歴が異なるのが通常である。つまり、各画素は、それぞれ駆動履歴が異なり、所定の期間が経過した時点においてはその輝度低下量が異なるのが通常であり、このような場合には、同一駆動条件であっても発光輝度に差異が生じてしまう。本実施形態の表示装置は、このような発光輝度の差、すなわち輝度バラツキを抑制するため、輝度バラツキの抑制制御を行っている。
【００４４】
本実施形態の表示装置は、図３に示すように、表示部１１と駆動回路１２とを備えるパネル１と、表示部１１の輝度を測定する輝度測定部４と、輝度測定部４で得られる輝度測定結果に基づいてパネル１の駆動条件を制御する制御部５とを有する。
【００４５】
制御部５は、図３に示すように、輝度低下量計算部５１と、補正演算部５２と、補正量記憶部５３と、駆動制御部５４とにより構成されている。
【００４６】
輝度低下量計算部５１は、所定の領域における画素について、パネル１の初期時（例えば出荷時）の輝度データと所定の期間が経過した時の輝度データとを比較し、その輝度低下量を計算する。輝度低下量計算部５１で得られた輝度データは、補正演算部５２で用いられる。
【００４７】
補正演算部５２は、例えば、上記の輝度のデータに基づいて、所定の領域における画素間の輝度バラツキを補正する補正データを演算する。この補正データは、補正量記憶部５３に送信される。
【００４８】
補正量記憶部５３は、所定の領域における画素の初期時の輝度データや当該画素について補正演算部５２で得られた補正データを記憶する。この補正量記憶部５３に記憶されたデータは、駆動制御部５４での補正処理で用いられる。
【００４９】
駆動制御部５４は、補正データに基づいて、輝度低下画素とその周囲の画素との輝度低下量の差を補正するために、表示部１１の駆動条件を再設定する制御を行う。この駆動制御部５４による補正後の駆動信号は、駆動回路１２に伝送される。駆動制御部５４は、表示部１１の駆動条件を補正、すなわち再設定することで、画素間の輝度バラツキを抑制する役割を果たす。
【００５０】
なお、有機ＥＬデバイスの輝度低下における補正処理として知られる公知の方法を上記の補正の処理として採用できるため、本明細書では、その詳細な説明を省略するが、各画素は、表示される画像等の視認性が低下しない程度にその輝度差が抑制されていればよい。
【００５１】
次に、輝度測定部４によるパネル１の輝度測定について、図４を参照して説明する。
【００５２】
輝度測定部４は、図４に示すように、表示部１１を発光させた場合に、発光面１１ａに対する法線方向に照射された垂直照射光Ｌ１のうち透明部材３の一面３ａで反射した反射光ＲＬに基づいて、表示部１１のうち所定の領域の輝度を測定する。具体的には、輝度測定部４は、受光部４１のうち反射光ＲＬが入射する側の面を受光面４１ａとして、反射光ＲＬのうち主に受光面４１ａに対して垂直に入射する垂直入射光ＲＬ１に基づいて、表示部１１の輝度を測定する。このように垂直入射光ＲＬ１に基づいて表示部１１の輝度を測定できるように、パネル１、透明部材３および輝度測定部４の配置が調整されることで、効率良く輝度測定がなされる表示装置となる。
【００５３】
本実施形態によれば、輝度測定部４がパネル１の表示部１１から離れた位置に配置され、受光部４１が表示部１１の意匠の内容に合わせてその位置が適宜変更されることで、輝度測定の領域を適宜変更できる構成の表示装置となる。そのため、パネル１の表示部１１の意匠が変更された場合であっても、その意匠ごとに受光部４１の配置が変更された輝度測定部４を別途用意する必要がなくなり、有機ＥＬデバイスの画素間の輝度バラツキを適切に補正できる表示装置となる。
【００５４】
（第１実施形態の変形例）
次に、第１実施形態の変形例について、図７を参照して説明する。図７は、上記第１実施形態で説明した図２に示した断面に相当する部分の断面図である。
【００５５】
本変形例の表示装置は、図７に示すように、透明部材３および輝度測定部４の配置が上記第１実施形態の表示装置と異なっている。具体的には、本変形例の表示装置は、図７の紙面上の左右方向に対して垂直な方向を上下方向とし、下方向を鉛直方向として、輝度測定部４がパネル１よりも下方向側に配置されている点で上記第１実施形態の表示装置と相違する。つまり、上記第１実施形態の表示装置が表示部１１からの光Ｌの一部が透明部材３の一面３ａで鉛直方向の反対側に反射する構成とされていたのに対し、本変形例の表示装置は、反射光ＲＬが透明部材３の一面３ａで鉛直方向の側に反射する構成とされている。
【００５６】
このような構成とされている場合であっても、上記第１実施形態と同様の効果が得られる。なお、表示部１１からの光Ｌ以外の光が輝度測定部４に入射することによる輝度測定の精度低下を抑制するため、本変形例では、筐体部品２は、図７に示すように、輝度測定部４と向き合う部分が余分な光を遮る天井となるような形状とされることが好ましい。
【００５７】
（第２実施形態）
第２実施形態の表示装置について、図８を参照して述べる。図８は、上記第１実施形態で説明した図６に示した断面に相当する部分の断面図である。
【００５８】
本実施形態の表示装置は、例えば、図８に示すように、透明部材３と受光部４１との間にフィルタ部４３１を有するフィルタ部材４３が配置されている点で上記第１実施形態と相違する。本実施形態では、この相違点について主に説明する。
【００５９】
フィルタ部材４３は、例えば、任意の樹脂材料などで構成され、図８に示すように、反射光ＲＬのうち受光面４１ａに対して垂直に入射する垂直入射光ＲＬ１を優先して通すフィルタ部４３１が形成されている。フィルタ部材４３は、例えば、図８に示すように、受光部４１と支持体４２の一部を隔てて配置されているが、受光部４１と直接接する位置に配置されてもよいし、他の配置とされてもよい。フィルタ部材４３は、図８に示すように、支持体４２と別の部材であってもよいし、支持体４２と一体であってもよい。
【００６０】
フィルタ部４３１は、例えば、ピンホール形状やスリット形状とされるが、垂直入射光ＲＬ１を優先して通す機能を発揮すればよく、他の形状とされてもよい。
【００６１】
本実施形態によれば、輝度測定部４は、反射光ＲＬのうちフィルタ部材４３を介して入射した垂直入射光ＲＬ１に基づいて輝度を測定する構成となるため、余分な光を排除した状態での輝度を測定できる。そのため、本実施形態の表示装置は、上記第１実施形態の効果に加えて、より精度の高い輝度測定の結果に基づいて、表示部の駆動条件が再設定されるため、輝度バラツキの抑制の精度が高い表示装置となる。
【００６２】
（第３実施形態）
第３実施形態の表示装置について、図９、図１０Ａ、図１０Ｂを参照して述べる。図９は、上記第１実施形態で説明した図６に示した断面に相当する部分の断面図である。図１０Ａ、図１０Ｂでは、縦軸を発光強度（単位は任意）とし、横軸を波長（単位はｎｍ）とする光のスペクトルについて示している。
【００６３】
本実施形態の表示装置は、例えば、図９に示すように、透明部材３と受光部４１との間にカラーフィルタ４４が配置されている点で、上記第１実施形態と相違する。本実施形態では、この相違点について主に説明する。
【００６４】
受光部４１は、本実施形態では、図９に示すように、３つの受光センサ４１１〜４１３を有してなり、それぞれカラーフィルタ４４１〜４４３が取り付けられている。以下、これらの受光センサ４１１〜４１３を区別するため、便宜的に、第１受光センサ４１１、第２受光センサ４１２、第３受光センサ４１３とそれぞれ称する。
【００６５】
カラーフィルタ４４は、それぞれ可視光領域の光のうち赤色、緑色および青色のいずれか１つの波長領域に対応する光のみを通す３つのカラーフィルタ４４１〜４４３を有してなり、公知のカラーフィルタが用いられる。以下、これらのカラーフィルタ４４１〜４４３を区別するため、便宜的に、第１カラーフィルタ４４１、第２カラーフィルタ４４２、第３カラーフィルタ４４３とそれぞれ称する。例えば、第１カラーフィルタ４４１が青色の波長領域のみの光を通し、第２カラーフィルタ４４２が緑色の波長領域のみの光を通し、第３カラーフィルタ４４３が赤色の波長領域のみの光を通す、といった具合にそれぞれ異なる波長領域の光を通すものとされる。
【００６６】
つまり、受光センサ４１１〜４１３は、反射光ＲＬがカラーフィルタ４４１〜４４３を介して入射されることで、光の三原色であるＲ（赤）、Ｇ（緑）およびＢ（青）のそれぞれに対応する波長領域の光に対応する電気信号を生じる構成とされている。
【００６７】
次に、カラーフィルタ４４を用いる理由について説明する。
【００６８】
有機ＥＬデバイスの画素は、赤色の発光をする副画素、緑色の発光をする副画素および青色の発光をする副画素の３つの副画素で構成され、これらの３つの光の組み合わせにより様々な発色を実現する構成とされることが一般的である。また、これらの副画素は、それぞれ発光層を構成する材料が異なるため、材料ごとにその輝度低下量も異なることが通常である。さらに、各画素は、駆動履歴が異なることが通常であり、この場合にはそれぞれの副画素の駆動履歴も異なるため、同色の副画素であっても画素ごとにその輝度低下量が異なる。
【００６９】
以下、説明の簡略化のため、赤色の発光をする副画素を「赤の副画素」と、緑色の発光をする副画素を「緑の副画素」と、青色の発光をする副画素を「青の副画素」と称する。
【００７０】
これらの３つの副画素を発光させて白色を実現する場合における光のスペクトルは、例えば、図１０Ａに示すように、長波長側から赤色、緑色および青色の３つの波長領域の光が混合したものとなる。
【００７１】
ここで、表示部１１を白色で発光させ、輝度測定部４でその輝度を測定する場合において、カラーフィルタ４４を用いない場合であっても、各画素間における輝度差を算出することができる。しかしながら、この方法では、図１０Ａに示すようなスペクトルの光が受光部４１に入射するため、１つの画素における赤の副画素、緑の副画素および青の副画素での輝度低下量の差を算出することが困難である。
【００７２】
これに対して、白色で発光させた光がカラーフィルタ４４を通過する場合、例えば、図１０Ｂに示すように、赤色、緑色および青色の波長領域の光のうち一色のみを透過させることができる。言い換えると、カラーフィルタ４４１〜４４３を用いることで、ＲＧＢの三色の波長の光を一色ずつに分離させて、その輝度を測定することが可能となる。
【００７３】
本実施形態によれば、輝度測定部４が反射光ＲＬのうちカラーフィルタ４４を介して受光部４１に入射した光に基づいて輝度を測定するため、ＲＧＢの各色での輝度低下量を算出できる構成となる。そのため、本実施形態では、上記第１実施形態の効果に加えて、より精度の高い輝度バラツキの計測ができ、輝度バラツキの補正の精度が高められた表示装置となる。
【００７４】
（第４実施形態）
第４実施形態の表示装置について、図１１を参照して述べる。図１１は、上記第１実施形態で説明した図６に示した断面に相当する部分の断面図である。
【００７５】
本実施形態の表示装置は、例えば、図１１に示すように、透明部材３と受光部４１との間に広角レンズ４５が配置されている点で上記第１実施形態と相違する。本実施形態では、この相違点について主に説明する。
【００７６】
広角レンズ４５は、より広範囲の反射光ＲＬが受光部４１に入射するようにし、表示部１１の輝度測定の領域を広げるためのものであり、公知の広角レンズが用いられる。広角レンズ４５は、本実施形態では、例えば、図１１に示すように、受光部４１と共に、任意の樹脂材料などで構成された枠体４６に固定されている。なお、広角レンズ４５および枠体４６は、より広範囲の反射光ＲＬが受光部４１に入射する配置とされていればよく、図１１に示す例に限定されるものではない。
【００７７】
本実施形態によれば、上記第１実施形態の効果に加えて、より広範囲の反射光ＲＬが受光部４１に入射するため、１つの受光部４１の輝度測定の領域が広い表示装置となる。
【００７８】
（他の実施形態）
なお、上記した各実施形態に示した表示装置は、本発明の表示装置の一例を示したものであり、上記の各実施形態に限定されるものではなく、特許請求の範囲に記載した範囲内において適宜変更が可能である。
【００７９】
例えば、上記第２実施形態と上記第３実施形態とが組み合わせられた表示装置とされてもよく、上記各実施形態の表示装置は、理論的に明らかに組み合わせが不可能である場合を除き、自由に組み合わせられてもよい。
【符号の説明】
【００８０】
１    パネル
１１  表示部
２    筐体部品
３    透明部材
４    輝度測定部
４１  受光部
４２  支持体
５    制御部
【図１】
2019125469.tif 000003
【図２】
2019125469.tif 000004
【図３】
2019125469.tif 000005
【図４】
2019125469.tif 000006
【図５】
2019125469.tif 000007
【図６】
2019125469.tif 000008
【図７】
2019125469.tif 000009
【図８】
2019125469.tif 000010
【図９】
2019125469.tif 000011
【図１０Ａ】
2019125469.tif 000012
【図１０Ｂ】
2019125469.tif 000013
【図１１】
2019125469.tif 000014